(57)【要約】【課題】当初から十分な捕球領域を確保すると同時に十分な屈曲性が得られる捕球具を提供する。【解決手段】本発明に係る捕球具１００の平裏部２は、捕球具本体１０の捕球面部１側への屈曲を促進する屈曲促進部４を具備する。屈曲促進部４は、全体が第１領域Ａ１内に位置する第１屈曲促進部分４１、及び、全体が第２領域Ａ２内に位置する第２屈曲促進部分４２のうち、少なくとも一方を具備しており、屈曲促進部４は、第１捕球領域Ｃ１内には実質的に形成されていない。第１屈曲促進部分及び第２屈曲促進部分は、Ｖ字状の形状等、それぞれ平裏部の内側に向かうにつれて幅が徐々に狭まる形状であり、例えば、切欠きと、切欠き内に取り付けられた平裏部よりも伸縮し易い伸縮部材５とで形成されている。【選択図】図２
2018099279.tif 000002
【特許請求の範囲】
【請求項１】
捕球面部、平裏部及び背面部を具備する捕球具本体を備え、
前記平裏部は、各指部と、該各指部を除く掌部とから構成され、該掌部に前記捕球具本体の前記捕球面部側への屈曲を促進する屈曲促進部を具備し、
前記掌部は、第１捕球領域と、第１領域と、第２領域とを含み、
前記平裏部の人差し指部の根元の親指部側の端点を第１頂点、前記平裏部の中指部と前記平裏部の薬指部との間の根元の点を第２頂点、前記平裏部の前記第１頂点及び前記第２頂点を結ぶ線分の中点を第３頂点、前記平裏部の手挿入縁の親指部側の端点を第４頂点、前記平裏部の手挿入縁の小指部側の端点を第５頂点、前記平裏部の親指部の根元の人指し指部側の端点を第６頂点、前記平裏部の小指部の根元の外側の端点を第７頂点、前記平裏部の前記第５頂点及び前記第７頂点を結ぶ線分の中点を第８頂点としたときに、
前記第１捕球領域は、前記第３頂点及び前記第４頂点を結ぶ線分と、前記第４頂点と前記第５頂点との間の前記平裏部の縁と、前記第５頂点及び前記第３頂点を結ぶ線分とで区画される略三角形状の領域であり、
前記第１領域は、前記第２頂点及び前記第３頂点を結ぶ線分と、前記第３頂点及び前記第５頂点を結ぶ線分と、前記第５頂点と前記第８頂点との間の前記平裏部の縁と、前記第８頂点及び前記第２頂点を結ぶ線分とで区画される略四角形状の領域であり、
前記第２領域は、前記第３頂点及び前記第１頂点を結ぶ線分と、前記第１頂点と前記第６頂点との間の前記平裏部の縁と、前記第６頂点及び前記第４頂点を結ぶ線分と、前記第４頂点及び前記第３頂点を結ぶ線分とで区画される略四角形状の領域であり、
前記屈曲促進部は、全体が前記第１領域内に位置する第１屈曲促進部分、及び、全体が前記第２領域内に位置する第２屈曲促進部分のうち、少なくとも一方を具備しており、
前記屈曲促進部は、前記第１捕球領域内には実質的に形成されていない、
ことを特徴とする捕球具。
【請求項２】
前記掌部は、前記第２頂点及び前記第１頂点を結ぶ線分と、前記第１頂点及び前記第４頂点を結ぶ線分と、前記第４頂点と前記第５頂点との間の前記平裏部の縁と、前記第５頂点及び前記第２頂点を結ぶ線分とで区画される略四角形状の第２捕球領域を含み、
前記第１屈曲促進部分は、前記第１領域のうち、前記第２頂点及び前記第５頂点を結ぶ線分と、前記第５頂点と前記第８頂点との間の前記平裏部の縁と、前記第８頂点及び前記第２頂点を結ぶ線分とで区画される略三角形状の領域内に位置し、
前記第２屈曲促進部分は、前記第２領域のうち、前記第１頂点と前記第６頂点との間の前記平裏部の縁と、前記第６頂点及び前記第４頂点を結ぶ線分と、前記第４頂点及び前記第１頂点を結ぶ線分とで区画される略三角形状の領域内に位置し、
前記屈曲促進部は、前記第２捕球領域内には実質的に形成されていない、
ことを特徴とする請求項１に記載の捕球具。
【請求項３】
前記第１屈曲促進部分は、前記第１領域における前記第５頂点と前記第８頂点との間の前記平裏部の縁上の位置から前記平裏部の内側に向かって延びる形状であり、
前記第２屈曲促進部分は、前記第２領域における前記第１頂点と前記第６頂点との間の前記平裏部の縁上の位置から前記平裏部の内側に向かって延びる形状である、
ことを特徴とする請求項１又は２に記載の捕球具。
【請求項４】
前記第１屈曲促進部分及び前記第２屈曲促進部分は、それぞれ前記平裏部の内側に向かうにつれて幅が徐々に狭まる形状である、
ことを特徴とする請求項３に記載の捕球具。
【請求項５】
前記第１屈曲促進部分及び前記第２屈曲促進部分は、それぞれＶ字状の形状である、
ことを特徴とする請求項４に記載の捕球具。
【請求項６】
前記屈曲促進部は、切込み、切欠き及び溝のうちの何れかで形成されている、
ことを特徴とする請求項１から５の何れかに記載の捕球具。
【請求項７】
前記屈曲促進部は、切欠きと、前記切欠き内に取り付けられた前記平裏部よりも伸縮し易い伸縮部材とで形成されている、
ことを特徴とする請求項１から５の何れかに記載の捕球具。
【請求項８】
前記屈曲促進部は、前記第１屈曲促進部分及び前記第２屈曲促進部分の双方を具備する、
ことを特徴とする請求項１から７の何れかに記載の捕球具。
【請求項９】
捕球面部、平裏部及び背面部を具備する捕球具本体を備え、
前記平裏部は、各指部と、該各指部を除く掌部とから構成され、該掌部に前記捕球具本体の前記捕球面部側への屈曲を促進する屈曲促進部を具備し、
前記掌部は、第１領域と、第２領域とを含み、
前記平裏部の人差し指部の根元の親指部側の端点を第１頂点、前記平裏部の中指部と前記平裏部の薬指部との間の根元の点を第２頂点、前記平裏部の前記第１頂点及び前記第２頂点を結ぶ線分の中点を第３頂点、前記平裏部の手挿入縁の親指部側の端点を第４頂点、前記平裏部の手挿入縁の小指部側の端点を第５頂点、前記平裏部の親指部の根元の人指し指部側の端点を第６頂点、前記平裏部の小指部の根元の外側の端点を第７頂点、前記平裏部の前記第５頂点及び前記第７頂点を結ぶ線分の中点を第８頂点としたときに、
前記第１領域は、前記第２頂点及び前記第３頂点を結ぶ線分と、前記第３頂点及び前記第５頂点を結ぶ線分と、前記第５頂点と前記第８頂点との間の前記平裏部の縁と、前記第８頂点及び前記第２頂点を結ぶ線分とで区画される略四角形状の領域であり、
前記第２領域は、前記第３頂点及び前記第１頂点を結ぶ線分と、前記第１頂点と前記第６頂点との間の前記平裏部の縁と、前記第６頂点及び前記第４頂点を結ぶ線分と、前記第４頂点及び前記第３頂点を結ぶ線分とで区画される略四角形状の領域であり、
前記屈曲促進部は、前記第１領域における前記第５頂点と前記第８頂点との間の前記平裏部の縁上の位置から前記平裏部の内側に向かって延びる形状の第１屈曲促進部分、及び、前記第２領域における前記第１頂点と前記第６頂点との間の前記平裏部の縁上の位置から前記平裏部の内側に向かって延びる形状の第２屈曲促進部分のうち、少なくとも一方を具備しており、
前記第１屈曲促進部分及び前記第２屈曲促進部分は、それぞれ前記平裏部の内側に向かうにつれて幅が徐々に狭まる形状である、
ことを特徴とする捕球具。
【請求項１０】
前記第１屈曲促進部分及び前記第２屈曲促進部分は、それぞれＶ字状の形状である、
ことを特徴とする請求項９に記載の捕球具。
【請求項１１】
前記屈曲促進部は、切欠きと、前記切欠き内に取り付けられた前記平裏部よりも伸縮し易い伸縮部材とで形成されている、
ことを特徴とする請求項９又は１０に記載の捕球具。
【請求項１２】
前記捕球具本体と、前記捕球具本体に接続されたウェブとを備え、
背面視において、前記捕球具本体と前記ウェブとは、略Ｌ字状の間隙を有し、該略Ｌ字状の間隙に配置された紐状部材によって接続されている、
ことを特徴とする請求項１から１１の何れかに記載の捕球具。
【発明の詳細な説明】
【技術分野】
【０００１】
本発明は、野球やソフトボール用の捕球具に関する。
【背景技術】
【０００２】
従来、野球やソフトボール用の捕球具（グラブ）は、購入時点は硬くて屈曲性が不十分であるのが一般的である。したがい、そのまま使用すると、ボールをしっかりと包み込むことができず、捕球動作にミスが生じ易い。
購入直後に捕球具の屈曲性を高めるため、例えば、捕球具の構成材料である革を木槌で叩いて伸ばしたり、捕球具を湯に浸けて革を柔らかくするなどの対策が施される場合がある。しかし、このような対策では、革の寿命を縮めることになり、捕球具の耐久性が低下する。
このため、購入当初から十分な屈曲性を得ることを目的とした捕球具が提案されている（例えば、特許文献１、２参照）。
【０００３】
一方、捕球具には、捕球の確実性を高めるために十分な捕球領域を確保したいという要求がある。一般に、捕球具の閉じ方には、親指袋と小指袋とを近づけるように閉じて捕球面部を三つ折り状態にする「深閉じ（縦閉じ）」と、人差し指袋及び中指袋を土手に近づけるように閉じて捕球面部を二つ折り状態にする「浅閉じ（横閉じ）」とが知られている。深閉じの方が浅閉じよりも広い捕球領域を確保可能である。
このため、十分な捕球領域を確保するには、捕球具を深閉じし易いようにすればよいが、これには、木槌で叩いたり、捕球具の深閉じ動作等を繰り返すことで、三つ折りの折り目の癖をつける、いわゆる慣らし作業を行う必要がある。したがい、当初から十分な捕球領域を確保することは困難である。
特許文献１、２に記載の捕球具は、屈曲性を高めることのみに着目しており、十分な捕球領域を確保することを考慮したものではない。
【先行技術文献】
【特許文献】
【０００４】
【特許文献１】実開平３−１５５８４号公報
【特許文献２】実開昭５５−２１７９８号公報
【発明の概要】
【発明が解決しようとする課題】
【０００５】
本発明は、上記従来技術の問題点を解決するべくなされたものであり、当初から十分な捕球領域を確保すると同時に十分な屈曲性が得られる捕球具を提供することを課題とする。
【課題を解決するための手段】
【０００６】
前記課題を解決するため、本発明は、第１手段として、捕球面部、平裏部及び背面部を具備する捕球具本体を備え、前記平裏部は、各指部と、該各指部を除く掌部とから構成され、該掌部に前記捕球具本体の前記捕球面部側への屈曲を促進する屈曲促進部を具備し、前記掌部は、第１捕球領域と、第１領域と、第２領域とを含み、前記平裏部の人差し指部の根元の親指部側の端点を第１頂点、前記平裏部の中指部と前記平裏部の薬指部との間の根元の点を第２頂点、前記平裏部の前記第１頂点及び前記第２頂点を結ぶ線分の中点を第３頂点、前記平裏部の手挿入縁の親指部側の端点を第４頂点、前記平裏部の手挿入縁の小指部側の端点を第５頂点、前記平裏部の親指部の根元の人指し指部側の端点を第６頂点、前記平裏部の小指部の根元の外側の端点を第７頂点、前記平裏部の前記第５頂点及び前記第７頂点を結ぶ線分の中点を第８頂点としたときに、前記第１捕球領域は、前記第３頂点及び前記第４頂点を結ぶ線分と、前記第４頂点と前記第５頂点との間の前記平裏部の縁と、前記第５頂点及び前記第３頂点を結ぶ線分とで区画される略三角形状の領域であり、前記第１領域は、前記第２頂点及び前記第３頂点を結ぶ線分と、前記第３頂点及び前記第５頂点を結ぶ線分と、前記第５頂点と前記第８頂点との間の前記平裏部の縁と、前記第８頂点及び前記第２頂点を結ぶ線分とで区画される略四角形状の領域であり、前記第２領域は、前記第３頂点及び前記第１頂点を結ぶ線分と、前記第１頂点と前記第６頂点との間の前記平裏部の縁と、前記第６頂点及び前記第４頂点を結ぶ線分と、前記第４頂点及び前記第３頂点を結ぶ線分とで区画される略四角形状の領域であり、前記屈曲促進部は、全体が前記第１領域内に位置する第１屈曲促進部分、及び、全体が前記第２領域内に位置する第２屈曲促進部分のうち、少なくとも一方を具備しており、前記屈曲促進部は、前記第１捕球領域内には実質的に形成されていない、ことを特徴とする捕球具を提供する。
【０００７】
本発明の第１手段に係る捕球具は、従来の一般的な捕球具と同様に、ボールが接触する捕球面部、捕球面部よりも手の甲側に配置され、掌が接触する平裏部、及び平裏部よりも手の甲側に配置された背面部を具備する捕球具本体を備える他、平裏部が捕球具本体の捕球面部側への屈曲を促進する屈曲促進部を具備する点に特徴を有する。
そして、屈曲促進部は、所定の４つの頂点（第２頂点、第３頂点、第５頂点及び第８頂点）を通る線分又は曲線で区画される略四角形状の第１領域内に全体が位置する第１屈曲促進部分、及び、所定の４つの頂点（第１頂点、第３頂点、第４頂点及び第６頂点）を通る線分又は曲線で区画される略四角形状の第２領域内に全体が位置する第２屈曲促進部分のうち、少なくとも一方を具備する。
ここで、本発明者らが従来の一般的な平裏部（屈曲促進部を具備しない平裏部）を模擬した解析モデルを用いて固有値解析を行い、捕球具（平裏部）の開閉動作に伴うひずみを評価したところ、上記の第１領域内及び第２領域内にひずみが大きくなる部位（換言すれば、平裏部の屈曲性を損ねている部位）が存在することがわかった。
本発明の第１手段に係る捕球具では、ひずみが大きくなる第１領域内に第１屈曲促進部分の全体を具備するか、ひずみが大きくなる第２領域内に第２屈曲促進部分の全体を具備するか、少なくとも何れか一方の条件を満足するため、従来に比べて当初から屈曲性を高めることが可能である。
【０００８】
また、屈曲促進部は、所定の３つの頂点（第３頂点、第４頂点及び第５頂点）を通る線分又は曲線で区画される略三角形状の第１捕球領域内には実質的に形成されていない。このため、第１捕球領域については屈曲性が高まることなく、比較的平坦な状態を維持できるため、当初から十分な捕球領域を確保することが可能である。
【０００９】
本発明の第１手段に係る捕球具において、好ましくは、前記掌部は、前記第２頂点及び前記第１頂点を結ぶ線分と、前記第１頂点及び前記第４頂点を結ぶ線分と、前記第４頂点と前記第５頂点との間の前記平裏部の縁と、前記第５頂点及び前記第２頂点を結ぶ線分とで区画される略四角形状の第２捕球領域を含み、前記第１屈曲促進部分は、前記第１領域のうち、前記第２頂点及び前記第５頂点を結ぶ線分と、前記第５頂点と前記第８頂点との間の前記平裏部の縁と、前記第８頂点及び前記第２頂点を結ぶ線分とで区画される略三角形状の領域内に位置し、前記第２屈曲促進部分は、前記第２領域のうち、前記第１頂点と前記第６頂点との間の前記平裏部の縁と、前記第６頂点及び前記第４頂点を結ぶ線分と、前記第４頂点及び前記第１頂点を結ぶ線分とで区画される略三角形状の領域内に位置し、前記屈曲促進部は、前記第２捕球領域内には実質的に形成されていない。
【００１０】
上記の好ましい構成によれば、屈曲促進部は、所定の４つの頂点（第１頂点、第４頂点、第５頂点及び第２頂点）を通る線分又は曲線で区画される略四角形状の第２捕球領域内には実質的に形成されていない。このため、第２捕球領域については屈曲性が高まることなく、比較的平坦な状態を維持できる。第２捕球領域は、第１捕球領域よりも広いため、当初からより十分な捕球領域を確保することが可能である。
【００１１】
本発明の第１手段に係る捕球具において、好ましくは、前記第１屈曲促進部分は、前記第１領域における前記第５頂点と前記第８頂点との間の前記平裏部の縁上の位置から前記平裏部の内側に向かって延びる形状であり、前記第２屈曲促進部分は、前記第２領域における前記第１頂点と前記第６頂点との間の前記平裏部の縁上の位置から前記平裏部の内側に向かって延びる形状である。
【００１２】
本発明者らが従来の一般的な平裏部（屈曲促進部を具備しない平裏部）を模擬した解析モデルを用いて固有値解析を行い、捕球具（平裏部）の開閉動作に伴うひずみを評価したところ、第１領域のうち、第５頂点と第８頂点との間の平裏部の縁近傍の領域内と、第２領域のうち、第１頂点と第６頂点との間の平裏部の縁近傍の領域内とにおいて、特にひずみが大きくなる部位が存在することがわかった。
上記の好ましい構成によれば、特にひずみが大きくなる第１領域のうちの所定領域内に第１屈曲促進部分を具備するか、特にひずみが大きくなる第２領域のうちの所定領域内に第２屈曲促進部分を具備するか、少なくとも何れか一方の条件を満足するため、従来に比べて当初からより一層屈曲性を高めることが可能である。
【００１３】
上記の好ましい構成において、より好ましくは、前記第１屈曲促進部分及び前記第２屈曲促進部分は、それぞれ前記平裏部の内側に向かうにつれて幅が徐々に狭まる形状である。
【００１４】
本発明者らが従来の一般的な平裏部（屈曲促進部を具備しない平裏部）を模擬した解析モデルを用いて固有値解析を行い、捕球具（平裏部）の開閉動作に伴うひずみを評価したところ、前述のように、第１領域のうち、第５頂点と第８頂点との間の平裏部の縁近傍の領域内と、第２領域のうち、第１頂点と第６頂点との間の平裏部の縁近傍の領域内とにおいて、特にひずみが大きくなる部位が存在することがわかった。そして、ひずみが大きくなる部位は、第５頂点と第８頂点との間の平裏部の縁から平裏部の内側に向けて狭くなる傾向があると共に、第１頂点と第６頂点との間の平裏部の縁から平裏部の内側に向けて狭くなる傾向があることがわかった。
上記のより好ましい構成によれば、特にひずみが大きくなる第１領域のうちの所定領域内に第１屈曲促進部分を具備するか、特にひずみが大きくなる第２領域のうちの所定領域内に第２屈曲促進部分を具備するか、少なくとも何れか一方の条件を満足するため、従来に比べて当初からより一層屈曲性を高めることが可能である。
また、上記のより好ましい構成によれば、第１屈曲促進部分及び第２屈曲促進部分が、それぞれ平裏部の内側に向かうにつれて幅が徐々に狭まる形状であるため、より十分な捕球領域を確保することが可能であるという利点も有する。
【００１５】
上記の「幅が徐々に狭まる形状」としては、例えば、Ｖ字状の形状を例示できる。
【００１６】
本発明の第１手段に係る捕球具において、好ましくは、前記屈曲促進部は、切込み、切欠き及び溝のうちの何れかで形成されている。
なお、上記の好ましい構成における「切込み」とは、平裏部の構成材料（革等）を部分的に切断することで形成され、構成材料を除去しない切り目を意味する。また、上記の好ましい構成における「切欠き」とは、平裏部の構成材料（革等）を部分的に切断して除去することで形成される部位を意味する。
【００１７】
本発明の第１手段に係る捕球具において、好ましくは、前記屈曲促進部は、切欠きと、前記切欠き内に取り付けられた前記平裏部よりも伸縮し易い伸縮部材とで形成されている。
【００１８】
上記の好ましい構成における伸縮部材を具備しない従来の平裏部の場合、捕球具を閉じる際に、捕球面部より外側（手の甲側）に配置された平裏部の長さを基準にして、平裏部及び捕球面部が捕球面部側に屈曲するため、内側に配置された捕球面部にしわが生じ易い。
上記の好ましい構成によれば、捕球具を閉じる際に、伸縮部材が伸びることで平裏部の長さが長くなるため、捕球面部にしわが生じ難いという利点が得られる。
【００１９】
好ましくは、前記屈曲促進部は、前記第１屈曲促進部分及び前記第２屈曲促進部分の双方を具備する。
【００２０】
上記の好ましい構成によれば、ひずみが大きくなる第１領域内に第１屈曲促進部分を具備すると共に、ひずみが大きくなる第２領域内にも第２屈曲促進部分を具備するため、従来に比べて当初からより一層屈曲性を高めることが可能である。
【００２１】
また、前記課題を解決するため、本発明は、第２手段として、捕球面部、平裏部及び背面部を具備する捕球具本体を備え、前記平裏部は、各指部と、該各指部を除く掌部とから構成され、該掌部に前記捕球具本体の前記捕球面部側への屈曲を促進する屈曲促進部を具備し、前記掌部は、第１領域と、第２領域とを含み、前記平裏部の人差し指部の根元の親指部側の端点を第１頂点、前記平裏部の中指部と前記平裏部の薬指部との間の根元の点を第２頂点、前記平裏部の前記第１頂点及び前記第２頂点を結ぶ線分の中点を第３頂点、前記平裏部の手挿入縁の親指部側の端点を第４頂点、前記平裏部の手挿入縁の小指部側の端点を第５頂点、前記平裏部の親指部の根元の人指し指部側の端点を第６頂点、前記平裏部の小指部の根元の外側の端点を第７頂点、前記平裏部の前記第５頂点及び前記第７頂点を結ぶ線分の中点を第８頂点としたときに、前記第１領域は、前記第２頂点及び前記第３頂点を結ぶ線分と、前記第３頂点及び前記第５頂点を結ぶ線分と、前記第５頂点と前記第８頂点との間の前記平裏部の縁と、前記第８頂点及び前記第２頂点を結ぶ線分とで区画される略四角形状の領域であり、前記第２領域は、前記第３頂点及び前記第１頂点を結ぶ線分と、前記第１頂点と前記第６頂点との間の前記平裏部の縁と、前記第６頂点及び前記第４頂点を結ぶ線分と、前記第４頂点及び前記第３頂点を結ぶ線分とで区画される略四角形状の領域であり、前記屈曲促進部は、前記第１領域における前記第５頂点と前記第８頂点との間の前記平裏部の縁上の位置から前記平裏部の内側に向かって延びる形状の第１屈曲促進部分、及び、前記第２領域における前記第１頂点と前記第６頂点との間の前記平裏部の縁上の位置から前記平裏部の内側に向かって延びる形状の第２屈曲促進部分のうち、少なくとも一方を具備しており、前記第１屈曲促進部分及び前記第２屈曲促進部分は、それぞれ前記平裏部の内側に向かうにつれて幅が徐々に狭まる形状である、ことを特徴とする捕球具を提供する。
【００２２】
本発明の第２手段に係る捕球具では、第１領域を構成する第５頂点と第８頂点との間の平裏部の縁から平裏部の内側に向かう領域（特にひずみが大きくなる部位が存在する領域）内に第１屈曲促進部分を具備するか、第２領域を構成する第１頂点と第６頂点との間の平裏部の縁から平裏部の内側に向かう領域（特にひずみが大きくなる部位が存在する領域）内に第２屈曲促進部分を具備するか、少なくとも何れか一方の条件を満足するため、従来に比べて当初から屈曲性を高めることが可能である。
また、本発明の第２手段に係る捕球具では、第１屈曲促進部分及び前記第２屈曲促進部分が、それぞれ平裏部の内側に向かうにつれて幅が徐々に狭まる形状であるため、平裏部の内側において、当初から十分な捕球領域を確保することが可能である。
なお、本発明の第２手段における「幅」とは、第１屈曲促進部分及び第２屈曲促進部分が延びる方向に対して直交する方向の寸法を意味する。
【００２３】
上記の「幅が徐々に狭まる形状」としては、例えば、Ｖ字状の形状を例示できる。
【００２４】
本発明の第２手段に係る捕球具において、好ましくは、前記屈曲促進部は、切欠きと、前記切欠き内に取り付けられた前記平裏部よりも伸縮し易い伸縮部材とで形成されている。
【００２５】
上記の好ましい構成によれば、捕球具を閉じる際に、伸縮部材が伸びることで平裏部の長さが長くなるため、捕球面部にしわが生じ難いという利点が得られる。
【００２６】
本発明の第１手段及び第２手段に係る捕球具において、好ましくは、前記捕球具本体と、前記捕球具本体に接続されたウェブとを備え、背面視において、前記捕球具本体と前記ウェブとは、略Ｌ字状の間隙を有し、該略Ｌ字状の間隙に配置された紐状部材によって接続されている。
【００２７】
上記の好ましい構成によれば、捕球具本体とウェブとが、略Ｌ字状の間隙を有し、この略Ｌ字状の間隙に配置された紐状部材によって接続されているため、このような構成になっていない従来の捕球具本体及びウェブを備える捕球具に比べて、当初からより一層屈曲性を高めることが可能である。
【発明の効果】
【００２８】
本発明に係る捕球具によれば、当初から十分な捕球領域を確保すると同時に十分な屈曲性を得ることが可能である。
【図面の簡単な説明】
【００２９】
【図１】本発明の一実施形態に係る捕球具（野球用グラブ）を示す図である。
【図２】図１に示す捕球具本体を組み立てる前の平裏部の前面視の構成例を模式的に示す図である。
【図３】第１屈曲促進部分及び第２屈曲促進部分のバリエーションを模式的に示す図である。
【図４】平裏部の他の例を示す図である。
【図５】ひずみに関する数値解析の結果を示す図である。
【図６】図５においてひずみが比較的大きかった部位を図２（ｂ）に重ねて示す図である。
【図７】数値解析で用いた各解析モデルを説明するための模式図である。
【図８】数値解析で用いた各解析モデルを説明するための模式図である。
【図９】剛性比に関する数値解析の結果を示す図である
【図１０】平裏部が具備する屈曲促進部に伸縮部材を用いることの効果を説明する図である。
【図１１】本発明の一実施形態に係る捕球具（野球用グラブ）を背面視で示す図である。
【図１２】捕球具本体を組み立てる前の平裏部の前面視の構成の他の例を模式的に示す図である。
【発明を実施するための形態】
【００３０】
以下、添付図面を適宜参照しつつ、本発明の実施形態に係る捕球具について説明する。本実施形態では、捕球具が野球用のグラブである場合を例に挙げて説明する。
図１は、本発明の一実施形態に係る捕球具（野球用グラブ）を示す図である。図１（ａ）は前面視（捕球具本体の捕球面部に対向する方向から見た場合）で表わした全体構成図であり、図１（ｂ）は手の甲を支持する手甲パッド３１の締結を解いた状態で平裏部近傍を前面視で表わした図である。なお、図１（ａ）に示す屈曲促進部４は、捕球面部１に覆われているため実際には見えておらず、その位置を図示しているに過ぎない。
図１に示すように、本実施形態に係る捕球具１００は、従来の捕球具と同様に、ボールが接触する捕球面部１と、捕球面部１よりも手の甲側に配置されて掌が接触する平裏部２と、平裏部２よりも手の甲側に配置された背面部３とを具備する捕球具本体１０を備える。そして、本実施形態に係る捕球具１００は、平裏部２が、捕球具本体１０の捕球面部１側への屈曲を促進する屈曲促進部４を具備し、この屈曲促進部４が特有の配置条件で配置されている点に一つの特徴を有する。
【００３１】
図２は、本実施形態の捕球具本体を組み立てる前の平裏部の前面視の構成例を模式的に示す図である。図２（ａ）は平裏部における第１捕球領域、第１領域及び第２領域を説明する図であり、図２（ｂ）は平裏部が具備する屈曲促進部を説明する図である。
図２に示すように、平裏部２は、指の掌側が接触する各指部（親指部２１、人差し指部２２、中指部２３、薬指部２４、小指部２５）と、各指部を除く掌部２６とから構成されている。掌部２６は、第１捕球領域Ｃ１と、第１領域Ａ１と、第２領域Ａ２とを含む。
【００３２】
ここで、図２（ａ）に示すように、平裏部２の人差し指部２２の根元の親指部２１側の端点を第１頂点Ｐ１とする。平裏部２の中指部２３と平裏部の薬指部２４との間の根元の点を第２頂点Ｐ２とする。平裏部２の第１頂点Ｐ１及び第２頂点Ｐ２を結ぶ線分の中点を第３頂点Ｐ３とする。平裏部２の手挿入縁２７の親指部２１側の端点を第４頂点Ｐ４とする。平裏部２の手挿入縁２７の小指部２５側の端点を第５頂点Ｐ５とする。平裏部２の親指部２１の根元の人指し指部２２側の端点を第６頂点Ｐ６とする。平裏部２の小指部２５の根元の外側の端点を第７頂点Ｐ７とする。平裏部２の第５頂点Ｐ５及び第７頂点Ｐ７を結ぶ線分の中点を第８頂点Ｐ８とする。
【００３３】
なお、第１頂点Ｐ１を規定する「平裏部２の人差し指部２２の根元の親指部２１側の端点」とは、平裏部２の人指し指部２２と平裏部２の中指部２３との間の根元の点及び第２頂点Ｐ２を結ぶ直線が平裏部２の人差し指部２２側の縁と交差するときの交点を意味する。
また、手挿入縁２７とは、捕球具本体１０を組み立てたときに、手挿入口１１（図１参照）を区画することになる部位の縁のことである。
また、第７頂点Ｐ７を規定する「平裏部２の小指部２５の根元の外側の端点」とは、平裏部２の薬指部２４の根元の小指部２５側の端点及び第２頂点Ｐ２を結ぶ直線が平裏部２の小指部２５側の縁と交差するときの交点を意味する。  
また、第６頂点Ｐ６を規定する「平裏部２の親指部２１の根元の人指し指部２２側の端点」は、捕球具本体１０を組み立てたときに、ウェブ６の親指部２１側の根元の角に当たる点に相当する。
さらに、第８頂点Ｐ８は、平裏部２の第５頂点Ｐ５及び第７頂点Ｐ７を結ぶ線分の中点であるが、この中点が平裏部２の縁上に位置しない場合には、第８頂点Ｐ８はこの中点と最短距離にある平裏部２の縁上の点を意味する。
【００３４】
図２（ａ）に示すように、第１捕球領域Ｃ１は、第３頂点Ｐ３及び第４頂点Ｐ４を結ぶ線分と、第４頂点Ｐ４と第５頂点Ｐ５との間の平裏部２の縁（すなわち、手挿入縁２７）と、第５頂点Ｐ５及び第３頂点Ｐ３を結ぶ線分とで区画される略三角形状の領域である。第１捕球領域Ｃ１の面積は、例えば、市販されている一般的な大人用野球グラブの場合だと、５５ｃｍ２〜８５ｃｍ２である。
第１領域Ａ１は、第２頂点Ｐ２及び第３頂点Ｐ３を結ぶ線分と、第３頂点Ｐ３及び第５頂点Ｐ５を結ぶ線分と、第５頂点Ｐ５と第８頂点Ｐ８との間の平裏部２の縁２８と、第８頂点Ｐ８及び第２頂点Ｐ２を結ぶ線分とで区画される略四角形状の領域である。第１領域Ａ１の面積は、例えば、市販されている一般的な大人用野球グラブの場合だと、３５ｃｍ２〜５５ｃｍ２である。
第２領域Ａ２は、第３頂点Ｐ３及び第１頂点Ｐ１を結ぶ線分と、第１頂点Ｐ１と第６頂点Ｐ６との間の平裏部の縁２９と、第６頂点Ｐ６及び第４頂点Ｐ４を結ぶ線分と、第４頂点Ｐ４及び第３頂点Ｐ３を結ぶ線分とで区画される略四角形状の領域である。第２領域Ａ２の面積は、例えば、市販されている一般的な大人用野球グラブの場合だと、５０ｃｍ２〜６８ｃｍ２である。
【００３５】
図２（ｂ）に示すように、屈曲促進部４は、全体が第１領域Ａ１内に位置する第１屈曲促進部分４１、及び、全体が第２領域Ａ２内に位置する第２屈曲促進部分４２を具備しており、第１捕球領域Ｃ１内には実質的に形成されていない。ここで、屈曲促進部４が第１捕球領域Ｃ１内には「実質的に形成されていない」とは、第１捕球領域Ｃ１内に屈曲促進部４が全く入り込んでいない場合だけでなく、製造ばらつきなどによってわずかに入り込む場合までは許容されることを意味する。具体的には、屈曲促進部４がわずかに第１捕球領域Ｃ１内に入り込んだとしても、その部分の面積が第１捕球領域Ｃ１の面積の５％未満であれば、屈曲促進部４は第１捕球領域Ｃ１内には形成されていないとみなすことができる。第１捕球領域Ｃ１に入り込んだ屈曲促進部４の部分の面積がこの程度であれば、第１捕球領域Ｃ１が大きく屈曲して捕球領域が潰れやすくなることはない。
また、第１屈曲促進部分４１の「全体が第１領域Ａ１内に位置する」とは、基本的には第１屈曲促進部分４１の全体（全面積）が第１領域Ａ１内に位置することを意味するが、製造ばらつきなどによってわずかに第１領域Ａ１からはみ出る場合までは許容される。より具体的には第１屈曲促進部分４１のうち第１領域Ａ１からはみ出た部分の面積が第１屈曲促進部分４１の面積の５％未満であれば第１屈曲促進部分４１の全体が第１領域Ａ１内に位置しているとみなすことができる。第２屈曲促進部分４２の「全体が第２領域Ａ２内に位置する」の意味についても同様である。
【００３６】
図２（ｂ）に示すように、第１屈曲促進部分４１は、第１領域Ａ１における第５頂点Ｐ５と第８頂点Ｐ８との間の平裏部２の縁２８上の位置から平裏部２の内側に向かって延びる形状である。また、第２屈曲促進部分４２は、第２領域Ａ２における第１頂点Ｐ１と第６頂点Ｐ２との間の平裏部２の縁２９上の位置から平裏部２の内側に向かって延びる形状である。
また、第１屈曲促進部分４１及び第２屈曲促進部分４２は、それぞれ平裏部２の内側に向かうにつれて幅が徐々に狭まる形状となっている。なお、「幅が徐々に狭まる形状」における「幅」とは、第１屈曲促進部分４１及び第２屈曲促進部分４２が延びる方向に対して前面視で直交する方向の寸法を意味する。
より具体的には、第１屈曲促進部分４１及び第２屈曲促進部分４２は、それぞれ前面視でＶ字状の形状である。
【００３７】
図３は、第１屈曲促進部分４１及び第２屈曲促進部分４２の前面視形状のバリエーションを模式的に示す図である。
平裏部２の内側に向かうにつれて幅が徐々に狭まる形状としては、図２（ｂ）に示すＶ字状の他、図３（ａ）〜（ｃ）に示すように、楕円弧状、台形状、階段状などであってもよい。第１屈曲促進部分４１及び第２屈曲促進部分４２は、幅が徐々に狭まる形状以外にも、例えば、図３（ｄ）に示すような矩形状の形状であってもよい。さらには、第１屈曲促進部分４１及び第２屈曲促進部分４２は、図３（ｅ）に示すように、平裏部２を貫通する複数の小さな貫通孔４３の集合体の全体形状が上述のような各種の形状になるものであってもよい。なお、貫通孔１２の集合体の全体形状とは、貫通孔１２の集合体のうち外側に位置する貫通孔１２の包絡線Ｅによって形成される形状である。
第１屈曲促進部分４１と第２屈曲促進部分４２とは、同じ形状であってもよいし、異なる形状であってもよい。
【００３８】
第１屈曲促進部分４１は大きければ大きいほど、捕球具１００（平裏部２）の屈曲性が高まると考えられるものの、大きすぎると捕球具１００（平裏部２）の耐久性の低下を招き易くなる。したがい、第１屈曲促進部分４１の面積は、第１領域Ａ１の面積の４０％以下に設定することが好ましい。一方で、第１屈曲促進部分４１が小さすぎると十分な屈曲性が得られない。したがい、第１屈曲促進部分４１の面積は、第１領域Ａ１の面積の１０％以上に設定することが好ましい。すなわち、第１屈曲促進部分４１の面積は、第１領域Ａ１の面積の１０％〜４０％の面積に設定することが好ましい。
同様の理由により、第２屈曲促進部分４２の面積は、第２領域Ａ２の面積の５％〜３０％の面積に設定することが好ましい。
【００３９】
屈曲促進部４は、切込み、切欠き及び溝のうちの何れかで形成されている。本実施形態では、屈曲促進部４は、切欠きと、切欠き内に取り付けられた平裏部２よりも伸縮し易い伸縮部材５（図１参照）とで形成されている。伸縮部材５の素材としては、例えば、合成繊維又は天然繊維の織物、合成繊維又は天然繊維の編物、ゴム等を使用することができる。合成繊維としては、ナイロン、ポリエステル、ポリウレタン等、天然繊維としては、綿、麻、絹、レーヨン等をそれぞれ使用することができる。
【００４０】
上述のように、本実施形態の屈曲促進部４は、第１領域Ａ１内に位置する第１屈曲促進部分４１、及び、第２領域Ａ２内に位置する第２屈曲促進部分４２を具備しており、第１捕球領域Ｃ１内には実質的に形成されていない。換言すれば、第１屈曲促進部分４１及び第２屈曲促進部分４２は、第１捕球領域Ｃ１に接する位置まで延びる寸法であってもよい。第１屈曲促進部分４１及び第２屈曲促進部分４２によって、捕球具１００（平裏部２）の屈曲性を高めつつ、第１捕球領域Ｃ１によって、十分な捕球領域を確保することが可能である。
【００４１】
図４は、本実施形態の平裏部の他の例を示す図であり、捕球具本体を組み立てる前の平裏部を前面視で模式的に示す図である。
図４に示すように、平裏部２の掌部２６は、第２捕球領域Ｃ２を含む。第２捕球領域Ｃ２は、第２頂点Ｐ２及び第１頂点Ｐ１を結ぶ線分と、第１頂点Ｐ１及び第４頂点Ｐ４を結ぶ線分と、第４頂点Ｐ４と第５頂点Ｐ５との間の平裏部２の縁（すなわち、手挿入縁２７）と、第５頂点Ｐ５及び第２頂点Ｐ２を結ぶ線分とで区画される略四角形状の領域である。第２捕球領域Ｃ２の面積は、例えば、市販されている一般的な大人用野球グラブの場合だと、１２０ｃｍ２〜１４５ｃｍ２である。
【００４２】
そして、図４に示す例では、屈曲促進部４の第１屈曲促進部分４１は、第１領域Ａ１（図２参照）のうち、第２頂点Ｐ２及び第５頂点Ｐ５を結ぶ線分と、第５頂点Ｐ５と第８頂点Ｐ８との間の平裏部２の縁２８と、第８頂点Ｐ８及び第２頂点Ｐ２を結ぶ線分とで区画される略三角形状の領域Ａ１’内に位置している。また、屈曲促進部４の第２屈曲促進部分４２は、第２領域Ａ２のうち、第１頂点Ｐ１と第６頂点Ｐ６との間の平裏部２の縁２９と、第６頂点Ｐ６及び第４頂点Ｐ４を結ぶ線分と、第４頂点Ｐ４及び第１頂点Ｐ１を結ぶ線分とで区画される略三角形状の領域Ａ２’内に位置している。そして、屈曲促進部４は、第２捕球領域Ｃ２内には実質的に形成されていない。図４に示す例において、屈曲促進部４が第２捕球領域Ｃ２内には「実質的に形成されていない」とは、図２に示す例と同様に、第２捕球領域Ｃ２内に屈曲促進部４が全く入り込んでいない場合だけでなく、製造ばらつきなどによってわずかに入り込む場合までは許容されることを意味する。具体的には、屈曲促進部４がわずかに第２捕球領域Ｃ２内に入り込んだとしても、その部分の面積が第２捕球領域Ｃ２の全面積の５％未満であれば、屈曲促進部４は第２捕球領域Ｃ２内には形成されていないとみなすことができる。
図４に示す平裏部２では、第２捕球領域Ｃ２が、第１捕球領域Ｃ１よりも広いため、当初からより十分な捕球領域を確保することが可能である。したがって、図４に示す平裏部２を備えた捕球具１００の場合、広めの捕球領域を確保したいプレーヤー向けの野球グラブや、ボールが大きいソフトボール用のグラブとしてより好適である。
【００４３】
以下、屈曲促進部４による屈曲性の促進効果を数値解析で評価した結果について説明する。数値解析では、屈曲推進部４を具備しない平裏部を模擬した解析モデルを用いて、有限要素法による固有値解析を行い、所定の方向に捕球具（平裏部）を閉じたときのひずみが大きくなる部位を調べた。解析モデルの設定条件として、平裏部の弾性率及び厚みをそれぞれ５０ＭＰａ、１．５ｍｍとした。
図５は、上記の数値解析の結果を示す図である。図５において、色の濃さはひずみの大きさに比例している。すなわち、色の濃い部位が捕球具を閉じたときにひずみが大きくなる部位に対応する。また、図５において、白色であるために縁が識別できない箇所には破線で縁を表示している。図５に示す結果から、平裏部のうち、手挿入縁２７の小指部２５側の端点近傍、及び、人差し指部２２の根元と親指部２１の根元との間の縁近傍の辺りに、ひずみの大きな部位が存在することがわかった。
図６は、図５においてひずみが比較的大きかった部位を図２（ｂ）に重ねて示す図である。具体的には、図６は、ひずみの大きさが最大ひずみの４０％以上となる部位の境界Ｂ１、Ｂ２を図２（ｂ）上に描いた図である。図６から分かるように、ひずみの大きな部位は、おおよそ第１領域Ａ１内及び第２領域Ａ２内に位置している。そして、第１屈曲促進部分４１は第１領域Ａ１のうち境界Ｂ１で囲まれた領域内に、第２屈曲促進部分４２は第２領域Ａ２のうち境界Ｂ２で囲まれた領域内にそれぞれ位置するように形成されたものである。
このようにひずみが大きくなる部位に対応させて第１屈曲促進部分４１及び第２屈曲促進部分４２を形成することにより、捕球具の屈曲性を高めることができると考えられる。
【００４４】
次に、屈曲促進部４の位置及び形状を変えたときの屈曲性への影響について評価した結果を説明する。
この評価で用いた解析モデルは、屈曲促進部４を具備しない図５に示す解析モデルを基本解析モデルとして、その基本解析モデルに位置や形状の異なる屈曲促進部４を形成したものである。なお、各解析モデルの屈曲促進部４は、基本解析モデルの所定部位に、弾性率の小さい部分を局所的に設定することによって擬似的に形成したものである。第１屈曲促進部分４１及び第２屈曲促進部分４２の面積はいずれの解析モデルも同一に設定した。
屈曲促進部４の屈曲性への影響は、捕球具（平裏部）の所定の閉じ方向についての基本解析モデルに対する各解析モデルの剛性比によって評価した。  
剛性比は、評価対象の解析モデルの剛性をＫｎｅｗ、固有振動数をｆｎｅｗとし、基本解析モデルの剛性をＫｒｅｆ、固有振動数をｆｒｅｆとした場合に、以下の式（１）で表わされる指標である。
剛性比＝（Ｋｎｅｗ／Ｋｒｅｆ）１／２＝（ｆｎｅｗ／ｆｒｅｆ）・・・（１）
剛性比の値が小さければ小さいほど、屈曲性が高いことを意味する。
【００４５】
図７及び図８は、上記の数値解析で用いた各解析モデルを説明するための模式図である。具体的には、図７及び図８は、屈曲促進部４の位置及び形状をわかりやすくするために、解析モデルに設定した屈曲促進部４を平裏部の前面視の図に対応させて見たときの図である。
図７（ａ）は、屈曲促進部４を具備しない従来（基本解析モデル）の平裏部を示す。図７（ｂ）は、図２（ｂ）に示す本実施形態の第２屈曲促進部分４２のみを具備する平裏部を示す。図７（ｃ）は、本実施形態と同様の形状の第２屈曲促進部分４２’を具備するものの、第２屈曲促進部分４２’の全体が第２領域Ａ２内に位置し且つ第２屈曲促進部分４２’が第１捕球領域Ｃ１内に実質的に形成されていないという条件から外れた参考例の平裏部を示す。図７（ｄ）は、本実施形態と同様の形状の第２屈曲促進部分４２’を具備するものの、第２屈曲促進部分４２’の全体が第２領域Ａ２内に位置するという条件から外れた参考例の平裏部を示す。図７（ｅ）は、本実施形態とは異なる形状の第２屈曲促進部分４２のみを具備する平裏部を示す。図７（ｆ）は、第２屈曲促進部分４２’を具備するものの、第２屈曲促進部分４２’が第１捕球領域Ｃ１内に実質的に形成されていないという条件から外れた参考例の平裏部を示す。
図８（ａ）は、屈曲促進部４を具備しない従来（基本解析モデル）の平裏部を示す。図８（ｂ）は、図２（ｂ）に示す本実施形態の第１屈曲促進部分４１のみを具備する平裏部を示す。図８（ｃ）は、本実施形態と同様の形状の第１屈曲促進部分４１’を具備するものの、第１屈曲促進部分４１’の全体が第１領域Ａ１内に位置し且つ第１屈曲促進部分４１’が第１捕球領域Ｃ１内に実質的に形成されていないという条件から外れた参考例の平裏部を示す。図８（ｄ）は、本実施形態と同様の形状の第１屈曲促進部分４１’を具備するものの、第１屈曲促進部分４２’の全体が第１領域Ａ１内に位置するという条件から外れた参考例の平裏部を示す。図８（ｅ）は、本実施形態とは異なる形状の第１屈曲促進部分４１のみを具備する平裏部を示す。
なお、上記の数値解析では、本実施形態の第１屈曲促進部分４１及び第２屈曲促進部分４２の双方を具備する平裏部２を模擬する解析モデルについても剛性比を評価した。
【００４６】
図９は、上記数値解析の結果を示す図である。図９（ａ）は、図７に示す各平裏部について算出した剛性比を示す。図９（ａ）の横軸に示す（ａ）〜（ｆ）がそれぞれ図７の（ａ）〜（ｆ）の平裏部に対応している。また、図９（ｂ）は、図８に示す各平裏部について算出した剛性比を示す。図９（ｂ）の横軸に示す（ａ）〜（ｅ）がそれぞれ図８の（ａ）〜（ｅ）の平裏部に対応している。さらに、図９（ｃ）のＮｏ．１は、図７（ａ）及び図８（ａ）に示す平裏部について算出した剛性比を示す。図９（ｃ）のＮｏ．２は、本実施形態の第１屈曲促進部分４１及び第２屈曲促進部分４２の双方を具備する平裏部２について算出した剛性比を示す。図９（ｃ）のＮｏ．３は、図８（ｂ）に示す平裏部について算出した剛性比を示す。図９（ｃ）のＮｏ．４は、図７（ｂ）に示す平裏部について算出した剛性比を示す。
【００４７】
図９（ａ）に示すように、本発明の範囲に含まれる第２屈曲促進部分４２を具備する平裏部２（図９（ａ）の（ｂ）及び（ｅ））を用いれば、従来の平裏部や参考例の平裏部を用いる場合に比べて剛性比が小さくなることが分かった。すなわち、第２屈曲促進部分４２を設けることによって屈曲性が高まることが分かった。特に、平裏部２のうち、図９（ａ）の（ｂ）に示す剛性比は、図９（ａ）の（ｅ）に示す剛性比よりも小さくなっており、平裏部２の内側に向かうにつれて幅が徐々に狭まる形状、換言すれば、第１頂点Ｐ１と第６頂点Ｐ６との間の平裏部の縁２９側ほど幅が広くなった形状が有効であることを示している。これは第２屈曲促進部分４２をこのような形状とすることによって、図５に示すひずみの大きな部位に第２屈曲促進部分４２が重なる面積がより大きくなるためと考えられる。
また、図９（ｂ）に示すように、本発明の範囲に含まれる第１屈曲促進部分４１を具備する平裏部２（図９（ｂ）の（ｂ）及び（ｅ））を用いれば、図９（ｂ）の（ｃ）の平裏部を除く、従来の平裏部や参考例の平裏部を用いる場合に比べて剛性比が小さくなることが分かった。すなわち、第１屈曲促進部分４１を設けることによって屈曲性が高まることが分かった。特に、平裏部２のうち、図６（ｂ）の（ｂ）に示す剛性比は、図６（ｂ）の（ｅ）に示す剛性比よりも小さくなっており、平裏部２の内側に向かうにつれて幅が徐々に狭まる形状、換言すれば、第５頂点Ｐ５と第８頂点Ｐ８との間の平裏部２の縁２８側ほど幅が広くなった形状が有効であることを示している。これは第２屈曲促進部分４２と同様に、第１屈曲促進部分４１をこのような形状とすることによって、図５に示すひずみの大きな部位に第１屈曲促進部分４１が重なる面積がより大きくなるためと考えられる。なお、屈曲性の観点のみからすれば、図９（ｂ）の（ｃ）の参考例の平裏部を用いることも有効であるが、この平裏部は、図８（ｃ）に示すように、第１屈曲促進部分４２’の全体が第１捕球領域Ｃ１内に形成されているため、第１捕球領域Ｃ１が潰れるようにして屈曲し易くなる。すなわち、屈曲性は高まるものの、十分な捕球領域を確保することができない。
さらに、図９（ｃ）に示すように、第１屈曲促進部分４１のみを具備する平裏部２や、第２屈曲促進部分４２のみを具備する平裏部２を用いる場合に比べて、双方を具備する平裏部２を用いる方が、より一層剛性比が小さくなる（屈曲性が高まる）点で好ましいことが分かった。
【００４８】
なお、評価結果の詳細についての説明は割愛するが、図３に示すような平裏部２を用いる場合であっても、従来の平裏部や参考例の平裏部を用いる場合に比べて剛性比が小さくなる（屈曲性が高まる）ことを確認できた。
また、解析モデルの設定条件として、平裏部の弾性率及び厚みを一般的な大人用のグラブに使用される範囲内で変えた場合もひずみが大きくなる部位はそれ程変わらず、第１領域Ａ１及び第２領域Ａ２の範囲にほぼ収まることを確認できた。
【００４９】
以上に説明したように、本実施形態に係る捕球具１００によれば、当初から十分な捕球領域を確保すると同時に十分な屈曲性を得ることが可能である。
【００５０】
図１０は、平裏部２が具備する屈曲促進部４に伸縮部材５を用いることの効果を説明する図である。図１０（ａ）は本実施形態の屈曲促進部４（伸縮部材５）を具備しない平裏部２’を用いた場合の捕球具の閉じ動作を、図１０（ｂ）は本実施形態の屈曲促進部４（伸縮部材５）を具備する平裏部２を用いた場合の捕球具の閉じ動作を示す。
図１０（ａ）に示すように、従来の平裏部２’の場合、捕球具を閉じる際に、捕球面部１より外側（手の甲側）に配置された平裏部２の長さを基準にして、平裏部２及び捕球面部１が捕球面部１側に屈曲するため、内側に配置された捕球面部１にしわが生じ易い。
これに対し、図１０（ｂ）に示すように、本実施形態の平裏部２の場合、捕球具を閉じる際に、屈曲促進部４の伸縮部材５が伸びることで平裏部２の長さが長くなるため、捕球面部１にしわが生じ難いという利点が得られる。
すなわち、本実施形態のように、伸縮部材５を具備する屈曲促進部４を用いれば、当初から十分な屈曲性を得ることができると同時に、捕球面部１にしわが生じ難いという効果を得ることも可能である。
【００５１】
図１１に示すように、本実施形態に係る捕球具１００は、捕球具本体１０と、捕球具本体１０に接続されたウェブ６とを備えている。そして、背面視において、捕球具本体１０とウェブ６とは、略Ｌ字状の間隙を有し、該略Ｌ字状の間隙に配置された紐状部材７によって接続されている。具体的には、略Ｌ字の縦辺に沿った間隙の幅と、略Ｌ字の横辺に沿った間隙の幅とが略同等の寸法になっており、略Ｌ字の縦辺から横辺にかけて、略同一ピッチで紐状部材７が架け渡されている。
上記のように、本実施形態に係る捕球具１００では、捕球具本体１０とウェブ６とが、略Ｌ字状の間隙を有し、この略Ｌ字状の間隙に配置された紐状部材７によって接続されているため、このような構成になっていない従来の捕球具本体及びウェブを備える捕球具に比べて、当初からより一層屈曲性を高めることが可能である。すなわち、略Ｌ字状の間隙には、屈曲し易い紐状部材７しか配置されておらず、捕球具本体１０を閉じたときに、捕球具本体１０とウェブ６とが干渉し難いため、屈曲性を高めることが可能である。
なお、更に屈曲性を高める上では、図１１に示す窓部８（手甲パッド３１の上方に位置する開口部）を拡張することが好ましい。具体的には、図１１に破線で示すように、窓部８の縁（ヘリ革）と、保護具本体１０の略Ｌ字の横辺に沿った部位との距離が短くなるように窓部８を拡張することで、より一層屈曲性を高めることができると考えられる。
【００５２】
なお、本実施形態では、屈曲促進部４が第１捕球領域Ｃ１内には実質的に形成されていないことを条件として説明したが、本発明は必ずしもこれに限るものではなく、図１２に示すような構成であってもよい。
すなわち、図１２に示すように、屈曲促進部４が、第１領域Ａ１における第５頂点Ｐ５と第８頂点Ｐ８との間の平裏部２の縁２８上の位置から平裏部２の内側に向かって延びる形状の第１屈曲促進部分４１、及び、第２領域Ａ２における第１頂点Ｐ１と第６頂点Ｐ６との間の平裏部２の縁２９上の位置から平裏部２の内側に向かって延びる形状の第２屈曲促進部分４２のうち、少なくとも一方を具備しており、第１屈曲促進部分４１及び第２屈曲促進部分４２が、それぞれ平裏部２の内側に向かうにつれて幅が徐々に狭まる形状でありさえすれば、屈曲促進部４が第１捕球領域Ｃ１内にも多少形成されていたとしても、従来に比べて当初から屈曲性を高めることが可能であると同時に、比較的広い捕球領域を確保することが可能である。
【００５３】
また、本実施形態では、屈曲促進部４として第１屈曲促進部分４１及び第２屈曲促進部分４２が１つずつ形成されている例について説明したが、第１屈曲促進部分４１及び第２屈曲促進部分４２のうち何れか一方だけが形成されていてもよいし、複数の第１屈曲促進部分４１及び／又は複数の第２屈曲促進部分が形成されていてもよい。
また、本実施形態では、捕球具として野球用のグラブを例に挙げて説明したが、本発明はこれに限るものではなく、ソフトボール用のグラブなど、捕球動作を伴う他のスポーツ用の捕球具にも適用可能である。
【符号の説明】
【００５４】
１・・・捕球面部
２・・・平裏部
３・・・背面部
４・・・屈曲促進部
５・・・伸縮部材
Ａ１・・・第１領域
Ａ２・・・第２領域
Ｃ１・・・第１捕球領域
１００・・・捕球具
【図１】
2018099279.tif 000003
【図２】
2018099279.tif 000004
【図３】
2018099279.tif 000005
【図４】
2018099279.tif 000006
【図５】
2018099279.tif 000007
【図６】
2018099279.tif 000008
【図７】
2018099279.tif 000009
【図８】
2018099279.tif 000010
【図９】
2018099279.tif 000011
【図１０】
2018099279.tif 000012
【図１１】
2018099279.tif 000013
【図１２】
2018099279.tif 000014